(57)【特許請求の範囲】
【請求項１】
限定期間試用の製品を予め選択された追加の使用に対して有効にするシステムであって、
特定の限定期間初期試用に対してのみ機能するよう事前に有効にされている電動手持ち式パーソナルケア器具と、
期限及び更なる補償を有さないその後の恒久的な使用に対して該パーソナルケア器具を有効にするよう前記特定の限定期間試用の終了時に行なわれる１回の支払い後にユーザに与えられる許可機器と、
を有するシステム。
【請求項２】
前記恒久的な使用は、従来製品の機能を全て有する、
請求項１記載のシステム。
【請求項３】
前記電動パーソナルケア器具は、電動歯ブラシである、
請求項２記載のシステム。
【請求項４】
前記許可機器は、前記ユーザによって前記電動パーソナルケア器具内に恒久的に置かれ得る要素であり、
前記パーソナルケア器具内における前記許可機器の前記位置付けは、前記電動パーソナルケア器具をその後の恒久的な使用に対して有効にする、
請求項２記載のシステム。
【請求項５】
前記許可機器は、前記電動パーソナルケア器具へと一時的に挿入されてから取り外される要素であり、
前記電動パーソナルケア器具は、前記挿入された要素上のコードを認識して前記電動パーソナルケア器具の長期間の使用を可能にする回路を有する、
請求項２記載のシステム。
【請求項６】
前記電動歯ブラシは、前記許可機器の近くに置かれ、前記電動歯ブラシ及び許可機器はいずれも、前記電動パーソナルケア器具の追加の使用を可能にするよう、互いの間で通信する通信要素を有する、
請求項３記載のシステム。
【請求項７】
前記電動歯ブラシは、前記許可機器に置かれる、
請求項６記載のシステム。
【請求項８】
前記通信は光学式である、
請求項６記載のシステム。
【請求項９】
前記通信は、無線周波数（ＲＦ）によるものである、
請求項６記載のシステム。
【請求項１０】
前記通信は磁気によるものである、
請求項６記載のシステム。
【請求項１１】
前記通信は赤外線によるものである、
請求項６記載のシステム。
【請求項１２】
前記許可機器は、１つの電動パーソナルケア器具のみを有効にするよう配置される、
請求項２記載のシステム。
【請求項１３】
前記許可機器は、１つの許可作動のみを可能にする、
請求項２記載のシステム。
【請求項１４】
限定期間試用の製品を予め選択された追加の使用に対して有効にするシステムであって、
特定の限定期間試用に対してのみ機能するよう事前に有効にされている電動手持ち式パーソナルケア器具と、
前記電動パーソナルケア器具と関連付けられ、通信ラインをわたって外部ソースから許可メッセージを受信する通信要素と、
を有し、
前記電動パーソナルケア器具は、更なる補償を有さずに前記限定期間試用の終了時に行なわれる１回の支払い後に許可メッセージを受信する前記通信要素に応じて、前記電動パーソナルケア器具を期限を有さない恒久的な使用に対して有効にする回路を有する、
システム。
【請求項１５】
前記恒久的な使用は、従来の品の前記機能を全て有する、
請求項１４記載のシステム。
【請求項１６】
前記通信ラインは電話線である、
請求項１５記載のシステム。
【請求項１７】
前記電動パーソナルケア器具は、電動歯ブラシである、
請求項１５記載のシステム。
【請求項１８】
前記通信ラインは、インターネット接続である、
請求項１５記載のシステム。
【請求項１９】
前記通信要素は、前記電動パーソナルケア器具の充電器部に位置付けられる、
請求項１５記載のシステム。
【請求項２０】
限定期間試用の商品を、長期間の使用に対して有効にするシステムであって、
特定の限定期間試用に対してのみ機能するよう事前に有効にされてはいるが、従来版の完全な作動能力を有している、電動手持ち式パーソナルケア器具を有し、
該電動パーソナルケア器具は、更なる補償を有さずに前記限定期間試用の終了時に行なわれる１回の支払い後に、１）作動、及び、２）作動停止のうち選択されたいずれか一方において期限を有さない恒久的な使用に対して該電動パーソナルケア器具を有効にする部分を有する、
システム。
【請求項２１】
前記電動パーソナルケア器具は、電動歯ブラシである、
請求項２０記載のシステム。
【請求項２２】
限定期間試用の商品を長期間の使用に対して有効にするシステムであって、
特定の限定期間試用に対してのみ機能するよう事前に有効にされている電動手持ち式パーソナルケア器具を有し、
該電動パーソナルケア器具は、特有のパターンにおいてユーザによって操作可能な前記電動パーソナルケア器具に対するオン又はオフのスイッチを有し、
前記電動パーソナルケア器具は、前記オン又はオフのスイッチの作動の予め選択されたパターンを認識する認識回路を有し、前記選択されたパターンの認識後、並びに更なる補償を有さずに前記限定期間試用の終了時に行なわれる１回の支払い又は承認後に、恒久的な使用に対して有効にされる、
システム。
【請求項２３】
前記電動パーソナルケア器具は、電動歯ブラシである、
請求項２２記載のシステム。
【発明の詳細な説明】
【技術分野】
【０００１】
本発明は概して、電動歯ブラシ及び他のパーソナル電気製品等の同様の製品に係り、より具体的には、試用期間終了後のそれらの製品の恒久的（長期間）又は他の追加の用途を可能にすることに係る。
【背景技術】
【０００２】
潜在顧客が購買決定に先立って製品を短期間試用できることは、多くの業界で一般的な手法である。この手法は成功しており、例えば、多種のソフトウェア製品及び関連するサービスでは、ソフトウェアの試用が限定期間中可能であり、その後はユーザが製品又はサービスの購買又は契約を決定しない限りは自動的に終了する。その手法は他の製品にも使われており、実際の使用及び満足度が購買決定の重要点となる場合、特に、さもなくば購買を検討されさえしないときに、実際の使用によって潜在顧客に購買するよう納得させる場合に使われる。
【０００３】
試用期間が購買を決定させるのに役立つ製品の一例は電動歯ブラシである。電動歯ブラシは、典型的には手動歯ブラシの２０倍乃至３０倍の費用がかかる。電動歯ブラシに対する多数の潜在顧客は、実際に使える試用期間中に歯ブラシのメリットを経験するまでは、かかる購買を検討しないであろう。その後電動歯ブラシの有益な結果が明らかになったときに初めて、潜在顧客は購買に前向きになる。これは、ひげそり器を含む他のパーソナルケア製品等の他の商品にも当てはまると考えられる。電動歯ブラシ等の比較的高価な商品の試用の概念は、本発明の譲受人によって所有される同時係属中の米国特許第０９／５８８，８０７号明細書（特許文献１）に記載されている。
【０００４】
かかる場合、「試用」ユニットは、基本的には商用ユニットであり、全機能を備えるが、特定の限定期間のみ機能するよう何らかの様式で変更されている。しかしながら、かかる試用の歯ブラシ又は同様の製品の不利点は、試用期間終了後にその機器が廃棄されることである。
【０００５】
電動歯ブラシ又は他のパーソナルケア器具等の製品に関する試用ユニットの基本概念を保持することが望ましい。それらの製品は、商用ユニットと根本的に同一であるが、試用期間が終了し顧客が支払いの手配をした後に、特定のアクションによって、恒久的（長期間）若しくは追加の短期間の、又は他の使用が可能にされ得る。
【特許文献１】米国特許第０９／５８８，８０７号明細書
【発明の開示】
【発明が解決しようとする課題】
【０００６】
従って本発明は、１つの面では、予め選択された追加の使用に対して期間限定試用の製品を有効にするシステムである。かかるシステムは、期間限定試用に適合されている電動器具と、かかる追加の使用に対して器具を有効にするよう承認後にユーザに与えられた許可機器とを有する。
【課題を解決するための手段】
【０００７】
他の面では、本発明は、予め選択した追加の使用に対して期間限定試用の製品を有効にする。かかるシステムは、期間限定試用に適合されている電動器具と、電動器具に関連付けられ、通信ラインを通って外部ソースから許可メッセージを受信する通信要素とを有し、かかる器具は、許可メッセージを受信した通信要素に応じて、かかる予め選択された追加の使用に対して器具を有効にする回路を含む。
【０００８】
本発明の他の面は、期間限定試用の製品を長期間の使用に対して有効にするシステムを有する。かかるシステムは、期間限定試用に適合されてはいるが、従来版の全機能を有している電動器具を有しており、かかる電動器具は、１）作動、及び、２）作動停止のうち選択されたいずれか一方での長期間の使用に対して、機器を有効にする部分を有する。
【０００９】
本発明の更なる面は、期間限定試用の製品を長期間の使用に対して有効にするシステムを有する。かかるシステムは、期間限定試用に適合されており、かかる電動器具は、オン又はオフのスイッチの作動の予め選択されたパターンを認識する認識回路を有し、選択されたパターンの認識に続いて長期間の使用に対して有効にされる。
【発明を実施するための最良の形態】
【００１０】
図１は、本発明の第１の実施例を図示する。ユーザは、試用期間後、ユーザによる支払いに続いて製品の恒久的な作動（所定の期限のない、長期間）を可能にするなんらかの種類の許可要素又は機器をユーザに与える製造会社、又は、小売店若しくは歯科医師（電動歯ブラシの場合）等指定された第三者に連絡を取る。図１は、電動歯ブラシ１０と、歯ブラシが挿入され得る組立体又は機器１２を図示する。機器１２は、製品、即ち電動歯ブラシ１０と通信し、歯ブラシ、又は、ひげそり器等の他のパーソナルケア器具を特に含む他の製品を、恒久的に使用可能になるようにする。これは、歯ブラシ内のマイクロプロセッサ１３によって認識され、続いてプログラムされた命令に従って歯ブラシを使用可能にする、コード化された情報を有し得る。
【００１１】
機器１２と歯ブラシ１０との間の通信は、多種の様式、例えば機器１２内の磁気要素１４と、歯ブラシ１０内の対応する時期要素１６との間の磁気作用で達成され得る。あるいは、通信は、光学、赤外線（Ｉｒ）、又はＲＦ（無線周波数）であってよい。他の通信手段が使用されてもよい。全ての場合において、結果的にもたらされるのは歯ブラシ（又は他の製品）との通信であって、歯ブラシを恒久的に作動可能にすることに帰着する。
【００１２】
恒久的な作動の代わりに、１年等の使用又はブラシ部の寿命を超えての追加の試用期間若しくは使用期間が、許可され得る。かかる許可に関するコストは、要求される特定の許可によって決定され得る。更に、許可は、プログラム可能なタイマー若しくは充電インジケータ、又は特定のブラシ部の動き等の、特定の機能のみに対するものであり得る。
【００１３】
図１の配置の変形では、機器１２は、歯ブラシの充電器組立体であり、歯ブラシ内の電池を定期的に充電すること、及び、恒久的な作動を可能にする歯ブラシとの通信を与えることのいずれの役割も果す。これは、上述した多種の通信手段を有し得るか、又は、所定の歯ブラシとの特定の物理的又は電気的関係を伴い、充電器が所定の歯ブラシ又は他の製品にのみ正確に作動し得るようにする。
【００１４】
図２に図示する図１の実施例の他の変形では、要素又は機器が、ユーザによって購買され、試用ユニットを長期間使用（又は上述された他の用途）可能にする。小さい別個の構成部品１７は、歯ブラシの手持ち部の壁に与えられた開口１９を介して、ユーザによって歯ブラシ１０に内蔵される。かかる場合には、充電器は、他の歯ブラシを使用可能にするのには使用できない。追加の要素は、例えば、電気回路を完成するよう試用され得、その結果機器は恒久的な作動が可能となる。更には、製品（歯ブラシ）は、キーカードを受容するよう適合され得る。キーカードは、製品に挿入及び取外しができ、製品が使用可能になるよう製品と通信ができるようにするか、又は、許可に帰着する製品によって認識可能なコード化された情報を与える。かかる場合には、製品は、典型的には、通信用の特定のＩＤを有する。
【００１５】
しかしながら、上述の全ての実施例は、購買の決定によってユーザが要素又は組立体を受け取り、該要素又は組立体は、前述の手法で製品に追加又は結合された場合、結果的に恒久的な（長期間、即ち所定の期限が無い）作動又は上述された他の特定の作動に対して製品を有効にする、という基本的な特性を有する。
【００１６】
第２の基本的な実施例は、製品及び製品の構成要素と、製造会社又は他の認可された第三者との間に、電話、携帯電話のリンク、又は他の通信ラインを介する通信を有する。図３中のこの配置では、歯ブラシ２２の充電器部２１又は他のパーソナルケア器具（ひげそり器等）、又は他の製品における「スマート」通信要素２０は、電話線又は他の通信リンク２４にプラグで接続される。通信ラインは、例えば、インターネットのアクセスラインであり得る。恒久的な作動用の支払いが済まされたとき、製造会社又は他の認可された第三者２６は、ユーザに所有されている試用製品を、認可された通信プロトコルを試用して通信要素２０を介してラインをわたって作動させる。通信要素２０は、マイクロプロセッサ２３、又は器具内の類似した回路と通信することによって器具を作動させる。かかる実施例では、実際の要素の代わりに通信プロトコルが、通信リンクをわたってユーザに与えられる。
【００１７】
この配置は、試用製品が使用可能にされることを確認する際の信頼性と同様に簡易性において、一定の利点を有する。製品２２内のスマート通信要素２０は、歯ブラシの充電基部、又は、歯ブラシの他のいずれの部分にもあり得る。ユーザは、単に、要素２０と通信ラインとの間を物理的に適切に接続しなければいけないだけである。
【００１８】
製品の作動の許可に加えて、通信ラインの接続は、製品の適切な作動を確認又は保持するよう製品に遠隔診断を行なうよう使用され得る。また、歯ブラシの臨床的状況での整合性を確認するのにも使用され得る。
【００１９】
図５は、第１及び第２の実施例を含む、簡略化されたフローチャートを示す。図中、電動歯ブラシ等の特定の製品は、ブロック３０に示される通り試用モードで販売される。試用期間中又は試用期間後、ブロック３２で、ユーザは製品の「恒久」版の購買を決定する。短期間使用又は（機器の全機能の代わりに）特定の機能を含めた、他の版も購買され得る。ブロック３４では、支払いと共に、製品を使用可能にするよう製造会社又は他の認められた関係者と接触がなされる。ブロック３６では、要素又は機器は、製品の望ましい作動状態への転換が可能なようユーザに与えられるか、又は、製品若しくは充電ユニット等のアクセサリは、製造者又は他の認められた関係者へのブロック３８の通信リンクを介して接続されるかのいずれかである。この時点で製品は、恒久的（長期間）な使用が可能であり、即ち、ブロック４０に示す通り、通常の商業経路、若しくは他の所望の使用又は構成を通じて購買された試用期間の無い商品と、作動において基本的に同一である。これらの実施例のいずれもにおいて、試用機器の廃棄は解消される。
【００２０】
他の実施例では、図４中、ユーザは、支払い後に製品４２（電動歯ブラシとして図示）の、存在するオン又はオフのスイッチ４１を作動させる特別な「コード」を与えられる。選択された期間を超えての特別なパターンを備えたオン／オフスイッチ４１を作動することは、結果的に、製品を恒久的（又は他の選択された）用途に対して有効にする。製品内のマイクロプロセッサ４４は、オン／オフスイッチからのパターンを認識し、製品を恒久的用途に転換させるようプログラムされる。本実施例は、ユーザが正確に特定のオン／オフを実行できないとき、場合によっては困難を感じ得るが、許可プロセスにおける簡易性及び追加のコストの不要性において利点を有する。
【００２１】
更なる他の実施例では、歯ブラシ又は他の製品の回路の一部の「物理的」転換は、恒久的な作動を生成するよう使用される。例えば、製品が試用モードにある際、製品の特別な設定時間又は使用回数の後、製品の更なる作動を妨げる物理的な接続又はリンクがあってよい。ユーザによる支払いに関しては、製品は、歯科医院又は他の店舗等の近くの認可された店舗に持ちこまれる。そこで製品は、現在使えない回路のリンクを開く（飛ばす）か、又は、製品に消磁又は他の機能を生成することのいずれかを行なう許可装置を通す。どちらの場合も、ブロッキング要素又は恒久的な作動を阻止する製品内の作動状態を除去する。この実施例は、ユーザ側は近くの店舗に出向く以外の行為をいずれも必要とせず、製品の使用可能性を確実にする利点を有する。
【００２２】
更なる他の実施例では、歯ブラシ（又は置換可能な部品を使用する他の製品）の使用可能な初期期間は、ブラシ部の寿命であり得る。その後、新しいブラシ部の購買によって、新しいブラシ部の寿命の間、即ち６ヵ月間、製品を試用可能になる。
【００２３】
上述の全ての実施例では、製品の要素又は製品内のマイクロプロセッサとの通信を含んで、何らかの転換の作動があり、製品の恒久的な作動を可能にするようプログラムされている。製品との多種の通信手段が使用され得る。転換は、製品の現在ある要素の作動状態を変更することによって起き得るか、又は、実際の物理的な排除又はかかる作動を起こすのに必要とされる要素の追加によって達成されてもよい。
【００２４】
しかしながら、これら全ての実施例は、初期に短期間試用のために設定されていた電動歯ブラシ又は同様の製品を、例えば通常の使用のための恒久的な作動機器に転換する。「許可された」製品は、初期に全額を支払って購入された製品と、作動、機能、及び外見に同一である。他の例では、許可は、追加の使用期間（しかし恒久的ではない）又は特定の機能のみに対するものであり得る。
【００２５】
かかるシステムは、ユーザに、購買又は検討すらされなかったであろう製品の試用を許可し、試用ユニットを廃棄することもないという利点を有する。恒久的且つ完全に使用可能な試用ユニットは、従来購買された製品に、作動及び機能において同一である。従って、既に恒久的な使用のために構成された新しい製品を購買するのとは対照的に、ユーザにとっては試用ユニットを使用可能にする誘因がある。故に本発明は、試用ユニットに作動のステップ又は特性を与え、試用ユニットを廃棄することなく試用製品を使用可能にする。上述した通り、最初は懐疑的又は反対ですらある顧客に、製品の利点を経験させ、購買についての詳細な情報を得た上で決定させる点で、試用製品は有利である。
【００２６】
複数の実施例が図解の目的で開示されてきたが、多種の変更、修正、及び代替は、本発明の精神を逸脱することなく、本発明に組み込まれ得ることが理解されるべきであり、以下に添付の請求項によって定義される。
【図面の簡単な説明】
【００２７】
【図１Ａ】本発明の一実施例を図示する。
【図１Ｂ】本発明の一実施例を図示する。
【図１Ｃ】本発明の一実施例を図示する。
【図２】本発明の代替の一実施例を図示する。
【図３】本発明の他の実施例を図示する。
【図４】本発明の他の実施例を図示する。
【図５】本発明のシステムを有効にする逐次ステップを図示する簡略化されたフローチャートである。
【図１】
0004461023.tif 000002
【図１Ａ】
0004461023.tif 000003
【図１Ｂ】
0004461023.tif 000004
【図２】
0004461023.tif 000005
【図３】
0004461023.tif 000006
【図４】
0004461023.tif 000007
【図５】
0004461023.tif 000008